(57)【要約】      （修正有）【課題】口内の、歯茎、頬の内側、舌の表面、舌下など粘膜上の汚れ、付着物を清掃する器具を提供する。【解決手段】歯ブラシ程度の細い柄にスポンジで作成した口内清掃スポンジを付け、これを口内の被清掃面に押し付け往復操作、回転操作、引き抜くなどして口内の清掃を行う。【選択図】図１
2005245991.tif 000002
【特許請求の範囲】
【請求項１】
適度の弾力を有する細い柄（１）の先にスポンジで作成した口内清掃スポンジ（２）をつけた、柄付き口内清掃スポンジブラシ。
【発明の詳細な説明】
【発明の詳細な説明】
【技術分野】
【０００１】この発明は、口内に付着する汚れ全般を、棒の先につけた多孔質で弾力のあるスポンジで取り除くことを目的とした口内清掃用具である。
【背景技術】
【０００２】（イ）従来の口内清浄用具は、汚れを取り除く部分がブラシ状あるいは板状であったりして固く、歯茎、頬の内側、舌の上面、舌の裏側などの粘膜全般の汚れを取り除くには粘膜面の複雑な形状へ密着するための柔軟性欠け充分に汚れがとれず、また、それらの部位にブラシや板を使用したりぶつかった場合、痛みを伴った。
（ロ）舌苔の除去に利用される舌の上面用のブラシ状の清掃用具や板状の清掃用具では、粘膜上の汚れの掻き取り性能が低く、あるいは一度掻き取った汚れの吸着が出来ないため、再び舌表面に汚れが付着していた。
（ハ）同じく舌苔の除去に利用される布製のもので指に巻きつけるなどして使用するものは、手の汚れなどの使用感、使用する姿の見た目がよくないなど、手軽さがなかった。更に、介護用など他人に使用する場合は、衛生面の問題、清掃中に噛まれる可能性があるなどの問題があった。
（ニ）棒状の柄に布、不織布、スポンジその他拭き取り素材を取り付けて汚れの除去性能、吸着性能の向上を目指すものは介護の用途を想定したもので、拭き取り部分を交換して柄の部分を繰り返し使用することを意図して考案されているため、構造が複雑となり製造コストが高くなっていた。また、柄が太いために使用中に常に口を大きく開けている必要があることや、拭き取り部分を柄に巻き付ける、かぶせる等するために素材の厚みがないことは、口内の複雑な形状への密着性がよくない（汚れの除去性能がよくない）だけでなく、痛みなど、被介護者に負担を与えていた。
【発明が解決しようとする課題】
【０００３】（イ）適切な拭き取り素材の採用による、「口内の複雑な形状面」への「用具の汚れの掻き取り・拭き取り面」の密着性を向上させること、口内への当りの柔らかさを実現すること。
（ロ）前項（イ）の実現により、歯茎、頬の内側、舌の表面、舌下など、口内のより広範囲な部分への用途を拡大すること。
（ハ）前々項（イ）の実現による口内への刺激（傷付け、痛み、嘔吐反射の誘発など）を低減すること。
（ニ）多孔質で弾力ある「掻き取り・拭き取り素材」の採用により汚れの除去性能を向上させること、一度除去した汚れの舌表面などへの再付着の防止あるいは低減させること。
（ホ）清掃用具の小型化により、使用中に大きく口を開け続けることを排除し、また、掻き取った汚れの再付着低減のために口を閉じて液体を含みながら使用することを可能とすること。
（ヘ）構造の単純化と一般に広く普及する素材、材料の採用により製造コストを低減し、一般大衆が容易に日常的に使用することを可能とすること。
（ト）小型化、形状、拭き取り素材の検討による使用感を向上させること。具体的には、必ずしも歯ブラシのように口腔の奥に向かって往復操作をさせなくてもよいようにすること。
（チ）舌苔の除去など舌の上面に用途を絞った場合のより適切な形状を作成し、清掃による嘔吐感（反射）を排除すること。具体的には、必ずしも歯ブラシのように口腔の奥に向かって往復操作をさせなくてもよいようにすること。
【課題を解決するための手段】
【０００４】（イ）本発明では、「口内の複雑な形状面」への「用具の掻き取り、拭き取り面」の追従を向上、口内へのあたりの柔らかさ実現のため、汚れの掻き取り・拭き取り部分（２）にスポンジに代表される多孔質で弾力性のある素材を採用する。
（ロ）本発明では、口内の汚れの掻き取り・拭き取り性能を向上させるため、また、特定の方向への一定の距離の操作の排除するため、さらに一度除去した汚れの再付着低減のため、掻き取り・拭き取り素材（２）に、スポンジに代表される多孔質で繊維の方向性がない素材を採用する。
（ハ）本発明では、使用中に口をあけ続けることの排除、あるいは口を閉じて液体を含んだまま使用することを可能とするため、適度な弾力を有する細い棒を柄（１）として採用する。
（ニ）本発明では舌の裏側や頬の内側など粘膜の柔らかの部分での往復運動による操作を排除するためには、汚れの掻き取り・拭き取り部分（２）に極端に扁平でない形状を採用し、柄（１）を回転させることにより口内清掃スポンジ（２）を口内被清掃面に摩擦させることを可能にする。
（ホ）本発明ではまた、舌の上の表面で往復運動による操作することによる嘔吐感（反射）を低減するため、柄の軸に対して扁平な口内清掃スポンジ（２）を採用することも考案し、口に含んだブラシを引き抜くこと、あるいは口にブラシを含んだ状態でブラシを左右に振ることで舌の表面と口内清掃スポンジ（２）を摩擦させることを可能にする。
（ヘ）本発明では、構造の単純化と、一般に広く普及する素材、材料の採用を検討し、柄（１）にプラスチック類の材料、口内清掃ブラシにスポンジを採用し、口内清掃用具の製造コストをえる。
【発明を実施するための最良の形態】
【０００５】（イ）柄（１）を持って口内清掃スポンジ（２）部分を口に含み、前後（柄の軸方向）あるいは軸を回転し、口内の歯茎、頬の内側、舌の上、舌の下など、粘膜表面の汚れを擦り取る。
（ロ）歯茎においては歯ブラシのごとく口内清掃スポンジ（２）を前後に、また、舌下など皮膚のたるみが大きく、前後に動かしにくい部分や、歯茎と頬の内側の突き当たりの部分などは柄（１）を回転させることで口内清掃スポンジ（２）を回転させ、粘膜表面の汚れを擦り取る。
（ハ）口内清掃スポンジ（２）は時々口中から出し、水で漱ぐなどして口内清掃スポンジ（２）内部に吸着した汚れを洗い落としながら使用する。
（ニ）柄（１）が細く作られているため、ブラシ部分を口中に含み、唇を閉ざして使用することが可能で、この場合は、水あるいは口中洗浄液などを含んだまま使用することが可能となり、擦り取った汚れの再付着低減に更に有利となる。
（ホ）使用が終わったブラシはもみ洗いなどしてよく漱ぎ、絞ってから、乾燥しやすいようにコップなどに立てて、あるいは壁に打ち付けた釘などに吊るして保管する。
（ヘ）舌苔などの舌表面の汚れの除去を特に有利にする場合は、口内清掃スポンジ（２）を扁平な形状で製造し、舌と上あごで本ブラシを押さえつけるように挟みこんでから引き抜くように操作すること、あるいは、そのまま柄を左右に振るように動かし、舌上面で口内清掃スポンジ（２）が平行に回転するように被清掃面を擦ることで、舌の表面と同時に上あごの裏側の清掃を行う。このとき、喉の奥での往復操作を行わず清掃できるので嘔吐反射が軽減され、また、舌がすぼまってしまうような力の入れ方がないので、舌の表面の凹凸を縮めてしまい汚れを取れにくくしてしまうことがない。
（ト）病院などで厳密に疾病の感染を防ぐ必要がある場合には、一回毎の使い捨てとし、家庭での利用などでは、個人毎のブラシを設けて各個人の専用化を行うことで口内の疾病、細菌の感染を予防する。
【発明の効果】
【０００６】（イ）口内の汚れの洗浄力に優れる。
（ロ）使い方が簡易で、また、口中への刺激が少ない。
（ハ）構造の単純化と廉価の材料の採用で低価格化が図れるので、広く一般に普及させることが可能となり、また、使い方が簡単で特殊な技能を必要としないので、現在の歯ブラシによる歯磨きと同程度の頻度で口内の粘膜の清掃が手軽かつ簡単に出来る。
（ニ）口を閉じて遣うことが出来る形状から、口内の汚れのが飛散することなく、また、口内洗浄液、あるいは単に水を口に含みながら爽快に使用することが出来る。
（ホ）以上の器具の効果から、口臭、虫歯予防の効果が期待できる。
【図面の簡単な説明】
【図１】  本発明の基本形態の斜視図
【図２】  本発明を舌上面への使用を有利にした場合の３面図
【符号の説明】
１は柄
２は口内清掃スポンジ
３は柄（舌用）
４は口内清掃スポンジ（舌用）
【図１】
2005245991.tif 000003
【図２】
2005245991.tif 000004